(57)【要約】本発明の一実施形態によれば、少なくとも１つの受信ノードと通信する制御ノードを動作させる方法が提供される。通信は、周波数領域においてサブバンドに分割されうるサブフレーム（１）を複数備えるフレームから構成される。この方法は、１つのサブフレーム（１）のサーチエリア（８）で制御チャネルを送信する工程を備えている。サーチエリア（８）は、タイムスパンを設定可能であり、１つ以上のサブバンドにまたがってもよい。
2014517581.tif 000002
【特許請求の範囲】
【請求項１】
いくつかのサブフレームを有するフレームによってフレーム化された通信を少なくとも１つの受信ノードと実行する制御ノードを動作させる方法であって、
前記いくつかのサブフレームのうちの１つのサブフレームにおけるサーチエリアにおいて制御チャネルを送信するステップを有し、
前記サーチエリアは設定変更可能なタイムスパンを有していることを特徴とする方法。
【請求項２】
前記サーチエリアの位置は前記受信ノードのインデックスに依存していることを特徴とする請求項１に記載の方法。
【請求項３】
前記サーチエリアの位置は前記いくつかのサブフレームのうちの前記サーチエリアを有している１つのサブフレームと前記サーチエリアを有している後続のサブフレームとの間でオルタネートすることを特徴とする請求項１または２に記載の方法。
【請求項４】
前記サブフレームは時間領域において第１スロットと第２スロットとに分割されており、
前記サーチエリアの位置は前記第１スロットと前記第２スロットとの間でオルタネートすることを特徴とする請求項３に記載の方法。
【請求項５】
フレーム内の各サブフレームは前記サーチエリアを有していることを特徴とする請求項１ないし４のいずれか１項に記載の方法。
【請求項６】
フレーム内の前記いくつかのサブフレームのうちのサブセットだけがサーチエリアを有していることを特徴とする請求項１ないし４のいずれか１項に記載の方法。
【請求項７】
前記制御チャネルはアップリンググラントとダウンリンク割り当てとを含んでいることを特徴とする請求項１ないし６のいずれか１項に記載の方法。
【請求項８】
前記タイムスパンは前記サブフレームの期間よりも短いことを特徴とする請求項１ないし７のいずれか１項に記載の方法。
【請求項９】
前記制御ノードは基地局であることを特徴とする請求項１ないし８のいずれか１項に記載の方法。
【請求項１０】
前記受信ノードはユーザ装置であることを特徴とする請求項９に記載の方法。
【請求項１１】
前記受信ノードは中継ノードであることを特徴とする請求項９または１０に記載の方法。
【請求項１２】
前記制御ノードは中継ノードであることを特徴とする請求項１ないし８のいずれか１項に記載の方法。
【請求項１３】
前記受信ノードはユーザ装置であることを特徴とする請求項１２に記載の方法。
【請求項１４】
いくつかのサブフレームを有するフレームによってフレーム化された通信を少なくとも１つの制御ノードと実行する受信ノードを動作させる方法であって、
前記いくつかのサブフレームのうちの１つのサブフレームにおけるサーチエリアにおいて制御チャネルをサーチするステップを有し、
前記サーチエリアは設定変更可能なタイムスパンを有していることを特徴とする方法。
【請求項１５】
前記サーチエリアの位置は前記受信ノードのインデックスに依存していることを特徴とする請求項１４に記載の方法。
【請求項１６】
前記サーチエリアの位置は前記いくつかのサブフレームのうちの前記サーチエリアを有している１つのサブフレームと前記サーチエリアを有している後続のサブフレームとの間でオルタネートすることを特徴とする請求項１４または１５に記載の方法。
【請求項１７】
前記サブフレームは時間領域において第１スロットと第２スロットとに分割されており、
前記サーチエリアの位置は前記第１スロットと前記第２スロットとの間でオルタネートすることを特徴とする請求項１６に記載の方法。
【請求項１８】
フレーム内の各サブフレームは前記サーチエリアを有していることを特徴とする請求項１４ないし１７のいずれか１項に記載の方法。
【請求項１９】
フレーム内の前記いくつかのサブフレームのうちのサブセットだけがサーチエリアを有していることを特徴とする請求項１４ないし１７のいずれか１項に記載の方法。
【請求項２０】
前記制御チャネルはアップリンググラントとダウンリンク割り当てとを含んでいることを特徴とする請求項１４ないし１９のいずれか１項に記載の方法。
【請求項２１】
前記タイムスパンは前記サブフレームの期間よりも短いことを特徴とする請求項１４ないし２０のいずれか１項に記載の方法。
【請求項２２】
前記制御ノードは基地局であることを特徴とする請求項１４ないし２１のいずれか１項に記載の方法。
【請求項２３】
前記受信ノードはユーザ装置であることを特徴とする請求項２２に記載の方法。
【請求項２４】
前記受信ノードは中継ノードであることを特徴とする請求項２２に記載の方法。
【請求項２５】
前記制御ノードは中継ノードであることを特徴とする請求項１４ないし２１のいずれか１項に記載の方法。
【請求項２６】
前記受信ノードはユーザ装置であることを特徴とする請求項２５に記載の方法。
【請求項２７】
制御ノードであって、請求項１ないし１３のいずれか１項に記載の方法を実行するように構成されたことを特徴とする制御ノード。
【請求項２８】
受信ノードであって、請求項１４ないし２６のいずれか１項に記載の方法を実行するように構成されたことを特徴とする受信ノード。
【請求項２９】
制御ノードであって、
いくつかのサブフレームを有するフレームによってフレーム化された通信を少なくとも１つの受信ノードと実行する送信機と、
前記いくつかのサブフレームのうちの１つのサブフレームにおけるサーチエリアにおいて制御チャネルを送信するよう前記送信機を制御する制御部と
を有し、
前記サーチエリアは設定変更可能なタイムスパンを有していることを特徴とする制御ノード。
【請求項３０】
受信ノードであって、
いくつかのサブフレームを有するフレームによってフレーム化された通信を少なくとも１つの制御ノードと実行する受信機と、
前記いくつかのサブフレームのうちの１つのサブフレームにおけるサーチエリアにおいて制御チャネルをサーチするよう前記受信機を制御する制御部と
を有し、
前記サーチエリアは設定変更可能なタイムスパンを有していることを特徴とする受信ノード。
【発明の詳細な説明】
【技術分野】
【０００１】
本発明は、制御ノードまたは受信ノードを動作させる方法、並びにこれらのノードとして動作する対応するデバイスに関する。
【背景技術】
【０００２】
例えば第３世代パートナーシッププロジェクト（３ＧＰＰ）などの移動ネットワークにおいては、ユーザ装置（ＵＥ）に制御情報を伝達するために、制御チャネルを使用しうる。このような制御チャネルの一例は、３ＧＰＰのＬＴＥ（Ｌｏｎｇ  Ｔｅｒｍ  Ｅｖｏｌｕｔｉｏｎ）に関して仕様が定められている物理ダウンリンク制御チャネル（ＰＤＣＣＨ）である。ＰＤＣＣＨは、サブフレームのＬ１／Ｌ２制御領域で送信される。このＬ１／Ｌ２制御領域は、サブフレームの１番目から最大で４番目までの直交周波数分割多重（ＯＦＤＭ）シンボルによって構成され、周波数領域全体に及んでいる。
【０００３】
ＬＴＥリリース１０において、リレーイング（中継）が導入された。中継ノード（ＲＮ）が、３ＧＰＰのＬＴＥにおいてはドナーｅＮＢ（ＤｅＮＢ）と呼ばれるドナー基地局（ＢＳ）から、通常の制御チャネルであるＰＤＣＣＨを受信できないことがあるので、中継ＰＤＣＣＨ（Ｒ−ＰＤＣＣＨ）と呼ばれる別の制御チャネルが導入された。Ｒ−ＰＤＣＣＨは、Ｌ１／Ｌ２制御領域では送信されない。その代わりに、Ｒ−ＰＤＣＣＨは、サブフレームの通常のデータ領域で送信される。サブフレームは、時間領域において、第１のスロットと第２のスロットに分割されている。第１のスロットでは、Ｒ−ＰＤＣＣＨは、スロットの４番目のＯＦＤＭシンボルから始まり、スロットの最後で終わる。第２のスロットでは、Ｒ−ＰＤＣＣＨは、スロットの最初のＯＦＤＭシンボルから始まり、スロットの最後で終わる。周波数領域においては、Ｒ−ＰＤＣＣＨは、１つ以上のリソースブロック（ＲＢ）で送信される。第１のスロットのＲ−ＰＤＣＣＨにおいて、ダウンリンクアサインメント（ＤＬ割当て）が送信され、第２のスロットのＲ−ＰＤＣＣＨにおいて、アップリンク（ＵＬ）グラントが送信される。
【０００４】
Ｒ−ＰＤＣＣＨの符号化、スクランブリング、および変調については、ＰＤＣＣＨに関するのと同じ原理に従う。しかし、Ｒ−ＰＤＣＣＨの時間−周波数リソースへのマッピングは異なる。ＵＥ固有の復調参照シンボル（ＤＭＲＳ）をベースとしたＲ−ＰＤＣＣＨの変形においては、複数のＲ−ＰＤＣＣＨが、単一のＲＢの中でクロスインターリーブされることはない。そうではなく、１つのＲ−ＰＤＣＣＨが、１組のＲＢ、すなわち集約度しだいで１、２、４、または８であってもよい数のＲＢにマッピングされる。そのようなＲ−ＰＤＣＣＨの送信の一例を図１に示す。Ｒ−ＰＤＣＣＨは、クロスインターリーブなしに、ＵＥ固有のＤＭＲＳを使用してアンテナポートから送信されてもよい。
【発明の概要】
【発明が解決しようとする課題】
【０００５】
Ｒ−ＰＤＣＣＨに関しては、サブフレームの第１のスロットで、ＤＬ割当てが送信され、サブフレームの第２のスロットで、ＵＬグラントが送信される。サブフレームの第１のスロットでＤＬ割当てが送信され、第２のスロットでＵＬグラントが送信されることにより、受信機は、全サブフレームにわたって受信することを強いられる。従って、このような設計は、受信機が特定のサブフレームにおいてＤＬ割当てがないことを検出した後に、そのコンポーネントの一部の電力を切ることができる、マイクロスリープと呼ばれるコンセプトを実施するのを妨げる。さらに、ＤＬ割当てとＵＬグラントとを２つの異なるスロットに分離して送信すると、各スロット空間で１回ずつ、すなわちダウンリンク制御情報（ＤＣＩ）フォーマット１Ａを使用して送信されるＤＬ割当てに関して１回と、ＤＣＩフォーマット０を使用して送信されるＵＬグラントに関して１回の、ブラインド復号の試行が必要となる。
【０００６】
従って、制御情報の受信ノードへの効率的な送信を可能にする技術が必要である。
【課題を解決するための手段】
【０００７】
本発明の一実施形態によれば、少なくとも１つの受信ノードと通信する制御ノードを動作させる方法が提供される。この通信は、複数のサブフレームを備えるフレームによりフレーム化される。この方法は、１つのサブフレームのサーチエリアで制御チャネルを送信する工程を備えている。サーチエリアのタイムスパンは、設定可能である。
【０００８】
本発明の別の実施形態によれば、少なくとも１つの制御ノードと通信する受信ノードを動作させる方法が提供される。この通信は、複数のサブフレームを備えるフレームによってフレーム化される。この方法は、１つのサブフレームのサーチエリアで制御チャネルをサーチする工程を備えている。サーチエリアのタイムスパンは、設定可能である。
【０００９】
本発明の別の実施形態によれば、制御ノードが提供される。制御ノードは、制御ノードを動作させる上記の方法を行うように構成されている。
【００１０】
本発明の別の実施形態によれば、受信ノードが提供される。受信ノードは、受信ノードを動作させる上記の方法を行うように構成されている。
【００１１】
本発明の別の実施形態によれば、制御ノードが提供される。制御ノードは、少なくとも１つの受信ノードと通信する送信機を備えている。この通信は、複数のサブフレームを備えるフレームによりフレーム化されている。さらに、制御ノードは、コントローラを備えている。コントローラは、１つのサブフレームのサーチエリアで制御チャネルを送信するように、送信機を制御するように構成されている。サーチエリアのタイムスパンは、設定可能である。
【００１２】
本発明の別の実施形態によれば、受信ノードが提供される。受信ノードは、制御ノードと通信する受信機を備えている。この通信は、複数のサブフレームを備えるフレームによってフレーム化されている。さらに、受信ノードは、１つのサブフレームのサーチエリアで制御チャネルをサーチするように構成されたコントローラを備えている。サーチエリアのタイムスパンは、設定可能である。
【図面の簡単な説明】
【００１３】
【図１】３ＧＰＰのＬＴＥリリース１０仕様書による、Ｒ−ＰＤＣＣＨの送信の一例の概略図である。
【図２】本発明の一実施形態によるコンセプトを適用しうる、移動ネットワーク環境の概略図である。
【図３】本発明の一実施形態で使用されるサブフレームの一構成例である。
【図４】本発明の一実施形態による一方法を示すフロー図である。
【図５】本発明の一実施形態による別の方法を示すフロー図である。
【図６】本発明の一実施形態による制御ノードの概略図である。
【図７】本発明の一実施形態による受信ノードの概略図である。
【図８】本発明の一実施形態による基地局の概略図である。
【図９】本発明の一実施形態によるＵＥの概略図である。
【図１０】本発明の一実施形態による中継ノードの概略図である。
【発明を実施するための形態】
【００１４】
以下、本発明について、例示的実施形態および添付の図面を参照して、より詳細に説明する。図示の実施形態は、ＤＬ制御チャネルのサーチ領域ベースの監視に係わるコンセプトで、かつ制御情報を受信ノードに送信するコンセプトに関する。以下、それらのコンセプトについて、３ＧＰＰのＬＴＥ仕様による移動ネットワークに関係する実施形態を参照して説明する。
【００１５】
図２は、移動ネットワーク環境、すなわち基地局（ＢＳ）１００、ＲＮ２００、およびＵＥ３００によって代表される移動ネットワークのインフラストラクチャを概略的に示す。ＢＳ１００は、図示のＬＴＥシナリオに従うと、ｅＮＢとも呼ばれてもよい。ＲＮ２００に対して、ＢＳ１００は、ＤｅＮＢの機能を果たしてもよい。この意味は、ＲＮ２００のネットワーク側データ接続は、ＢＳ１００への無線接続によって提供されるということである。ＵＥ３００は、例えば、移動電話機、または移動ネットワークに無線で接続しうる他のタイプのデバイスであってもよい。ＵＥ３００の移動ネットワークへの接続は、ＲＮ２００を介して、またはＢＳ１００に直接に確立されてもよい。
【００１６】
本明細書に記載するコンセプトによると、例えばＤＭＲＳなどのＵＥ固有参照信号に基礎を置く制御チャネルなどのＤＬ制御チャネルは、ＲＮ２００による中継を使用しないとき、例えばＵＥ３００などの通常のＵＥに制御情報を送信するために使用されてもよい。以下においては、ＵＥ固有参照信号に基礎を置くそのような強化制御チャネルの同意語として、Ｅ−ＰＤＣＣＨという用語を使用する。
【００１７】
これらのコンセプトの一態様は、Ｅ−ＰＤＣＣＨの期間（継続時間）および時間領域位置を設定し、必要に応じてＥ−ＰＤＣＣＨをＣ−ＲＮＴＩおよびサブフレーム番号などの他のタイプのパラメータに結び付けることである。具体的には、Ｅ−ＰＤＣＣＨの継続時間は、サブフレームの継続時間より短くてもよい。さらに、Ｅ−ＰＤＣＣＨを伝送するサブフレームのサブセットが設定されてもよい。
【００１８】
コンセプトを説明するために、例えばＢＳ１００などのＢＳと、例えばＵＥ３００などの１つ以上のＵＥとの通信について検討する。ＲＮ２００などの１つ以上のＲＮが付加される場合においても、検討する原理は適用可能である。ＲＮが付加される場合は、コンセプトは、ＢＳと１つ以上のＲＮとの通信に適用され、ＲＮは、ＵＥ、より一般的には受信ノードの役割を果たす。あるいは、コンセプトは、ＲＮと１つ以上のＵＥとの通信に適用され、ＲＮは、ＢＳ、より一般的には制御ノードの役割を果たす。
【００１９】
通信は、一般に、周波数領域においてサブバンドに分割されてもよいサブフレームを複数備えるフレームから構成される。図３に、そのようなサブフレーム１の一例を示す。時間軸ｔで示される時間領域においては、サブフレーム１は、第１のスロット２と第２のスロット３に分割されている。第１のスロット２は、第１の部分４と第２の部分５に分割されている。周波数軸ｆで示される周波数領域においては、サブフレーム１は、サブバンドに分割されている。各サブバンドは、周波数領域においてはＲＢのインデックスで呼ばれてもよい。例えば、ＲＢ７は、周波数領域においてＲＢインデックス６、かつ時間領域において第２のスロット３と呼ばれてもよい。サブフレーム１のエリア８は、本コンセプトにおいて使用するサーチエリアの一例である。このエリア８は、複数のサブバンドと、いくらかのタイムスパンに及んでいる。
【００２０】
図示のコンセプトにおいては、サーチ空間またはサーチエリアのコンセプトを適用することによって、複数の制御チャネルを送信することができる。サーチ空間またはサーチエリアは、時間−周波数グリッドにおける候補位置の組であり、ＵＥまたはＲＮは、それらの位置において制御チャネルが送信されると予期している。１つのサーチ空間またはサーチエリアは、特定の集約度に対する候補位置の組を有している。
【００２１】
一実施形態においては、制御ノードを動作させる方法が提供される。図４は、この方法を説明するフロー図を示す。この方法を実施するために、図４に示すステップの１つ以上が制御ノードで行われてもよい。制御ノードは、ＢＳ、ｅＮｏｄｅＢ、ＤｅＮＢ、またはＲＮであってもよい。制御ノードは、例えば、図２のＢＳ１００またはＲＮ２００に相当してもよい。
【００２２】
ステップ４３０に示すように、この方法は、サーチエリアにおいて制御チャネルを送信する工程を備えている。制御チャネルは、Ｅ−ＰＤＣＣＨであってもよい。サーチエリアは、サブフレームの範囲内で設定可能なタイムスパンを有し、かつ１つ以上のサブバンドにまたがってもよい。タイムスパンは、サブフレームの継続期間より短くてもよい。
【００２３】
ステップ４１０にさらに示すように、方法は、制御チャネルの位置を設定する工程も備えていてもよい。位置は、時間領域および／または周波数領域において設定されてもよい。これは、周波数領域においてサーチエリアがまたがるサブバンドを決定する工程および／または時間領域においてサーチエリアが及ぶタイムスパンを決定する工程を備えていてもよい。
【００２４】
ステップ４２０にさらに示すように、方法は、制御チャネルで送信する制御情報を決定する工程も備えていてもよい。具体的には制御情報には、１つ以上のＤＬ割当て、および１つ以上のＵＬグラントを含んでいてもよい。
【００２５】
別の実施形態によれば、受信ノードを動作させる方法が提供される。図５は、この方法を説明するフロー図を示す。この方法を実施するために、図５に示すステップの１つ以上が受信ノードで行われてもよい。受信ノードは、例えばＵＥ３００などのＵＥ、または例えばＲＮ２００などのＲＮであってもよい。
【００２６】
ステップ５１０に示すように、この方法は、サーチエリアにおいて制御チャネルをサーチする工程を備えている。制御チャネルは、Ｅ−ＰＤＣＣＨであってもよい。制御チャネルは、１つ以上のＵＬグラントと１つ以上のＤＬ割当てを備えていてもよい。上述のように、サーチエリアは、サブフレームの範囲内で設定可能なタイムスパンを有し、かつ１つ以上のサブバンドにまたがっていてもよい。タイムスパンは、サブフレームの継続期間より短くてもよい。
【００２７】
ステップ５２０にさらに示すように、方法は、制御チャネルを受信する工程も備えていてもよい。これは、例えば、制御チャネルで送信されるＵＬグラントおよびＤＬ割当てを受信するブラインド復号試行を１回だけ行う工程を有していてもよい。
【００２８】
ステップ５３０にさらに示すように、方法は、受信した制御チャネルから制御情報を特定する工程も備えていてもよい。例えば、これには、制御チャネルで送信されるＵＬグラントおよびＤＬ割当てを特定する工程を含んでいてもよい。
【００２９】
上記の方法においては、フレームの中の全てのサブフレームが、サーチエリアを備えていてもよい。あるいは、フレームの中のサブセットのサブフレームだけが、サーチエリアを備えていてもよい。サーチエリアの例えば時間領域などにおける位置は、サーチエリアを有するあるサブフレームとサーチエリアを有する次のサブフレームとでオルタネートして（交互に変わって）もよい。例えば、位置は、第１のスロットと第２のスロットとで交互に変わってもよい。
【００３０】
また、サーチエリアの位置は、例えば位置がインデックスの値が異なるのに合わせて交互に変わるように、受信ノードのインデックスによって決まってもよい。受信ノードのそのようなインデックスの一例は、セル無線ネットワーク一時識別子（Ｃ−ＲＮＴＩ）である。
【００３１】
Ｅ−ＰＤＣＣＨの継続期間は、設定可能であってもよい。クロスインターリーブがない場合、単一のＥ−ＰＤＣＣＨは、所与のＲＢにマッピングされてもよく、Ｅ−ＰＤＣＣＨの継続期間は、Ｅ−ＰＤＣＣＨのサーチエリアの時間領域の長さと考えることができる。マイクロスリープを可能にするために、Ｅ−ＰＤＣＣＨの継続期間の設定を、サブフレーム全体より短くしてもよい。Ｅ−ＰＤＣＣＨの適切な復調のためにはＤＭＲＳが必要であると想定すると、ＤＭＲＳは、スロット毎に１つのＯＦＤＭシンボルの中に存在しているので、サーチエリアの時間領域の長さに対する妥当な時間単位は、スロットであろう。すなわち、時間領域においては、サーチエリアのタイムスパンは、１スロットに及んでもよい。
【００３２】
しかし、より多くのＯＦＤＭシンボルの中にＤＭＲＳを有する修正ＤＭＲＳ構成を使用すると、それぞれがＤＭＲＳを有するより短い時間単位も可能である。ＰＤＣＣＨとＥ−ＰＤＣＣＨを同時に伝送するサブフレームにおいては、各サブフレームの始まりのＬ１／Ｌ２制御領域のＯＦＤＭシンボルは、普通はＥ−ＰＤＣＣＨの送信には使用されない。しかし、ＰＤＣＣＨの送信のないサブフレームにおいては、Ｅ−ＰＤＣＣＨは、任意のＯＦＤＭシンボルを占有することができる。従って、サブフレームの真っ先から始めることができる。
【００３３】
追加または代替で、サブフレーム内のＥ−ＰＤＣＣＨの時間領域における位置は、設定可能であってもよい。例えばサブフレームの第１のスロットなどの始めからＥ−ＰＤＣＣＨを送信すると、ＵＥがマイクロスリープすることができる期間は、最大になるであろう。言い換えると、エネルギ消費の観点からは、受信機は、制御期間の間は電力を上げて受信する必要があるのに対して、ＤＬ割当てが検出されない場合、データ期間の間は電力を下げることができるので、潜在的な制御シグナリングに対しては期間を短くし、データ送信に対しては期間を長くすることが有益であり、このやり方は利用されてもよい。
【００３４】
さらに、サブフレームの始めにＤＬ割当てを送信すると、受信機は早くから復号を開始することができるので、受信機でＰＤＳＣＨをリアルタイムに復号するタイミング要件を緩和するであろう。しかし、サブフレームの始めにＥ−ＰＤＣＣＨを受信するように全てのＵＥを設定すると、Ｅ−ＰＤＣＣＨ送信用のリソースが逼迫する恐れがあり、リソースの不足および干渉の増加が生じかねない。さらに、サブフレームの残りの部分は、使用できなくなり、空白のまま残さなければならないかもしれない。これが当てはまるのは、同じリソースブロックにおいて制御とデータの時間領域多重ができでない場合、または多重するデータがない場合である。従って、サブフレームの中間または最後に、Ｅ−ＰＤＣＣＨの時間領域における位置を設定することが妥当であることもある。
【００３５】
また、Ｅ−ＰＤＣＣＨの時間領域における位置を、サブフレームより大きな時間単位で設定することもできる。この意味は、Ｅ−ＰＤＣＣＨが、１つ以上の無線フレームのサブセットのサブフレームだけで伝送されるということである。このようにするために、Ｅ−ＰＤＣＣＨの時間領域における位置は、サブフレーム番号によって決められてもよい。この場合、潜在的なＥ−ＰＤＣＣＨの送信に関して、サブセットのサブフレームだけを監視する必要があり、こうすると、サブフレームレベルでのマイクロスリープだけよりもさらに電力効率が良くなる。これを無線フレームレベルのマイクロスリープと見なすこともできる。例として、高度なマルチアンテナ能力を有するシステムにおいてＥ−ＰＤＣＣＨを使用すると、マルチキャスト・ブロードキャスト単一周波数ネットワーク（ＭＢＳＦＮ）サブフレームの間だけ、Ｅ−ＰＤＣＣＨが生じるように設定することができる。このＭＢＳＦＮサブフレームは、セル固有参照信号（ＣＲＳ）がなく、従ってＤＭＲＳベースの送信に使用可能である。
【００３６】
Ｅ−ＰＤＣＣＨを混成のネットワークで使用するときは、例えばほとんど空白のサブフレームなどの選択されたサブフレームだけで、Ｅ−ＰＤＣＣＨを送信するように構成することも有益なことがある。Ｅ−ＰＤＣＣＨを伝送するサブフレームのサブセットは、例えばＬＴＥリリース１０による拡張セル間干渉制御（ｅＩＣＩＣ）などにおいて、チャネル状態情報（ＣＳＩ）の報告および／または測定に関して定められるサブフレームのサブセットに応じて定めることもできる。別の構成例は、Ｅ−ＰＤＣＣＨの時間領域位置を、奇数または偶数の番号のサブフレームに設定することである。
【００３７】
また、Ｅ−ＰＤＣＣＨの時間領域における位置は、例えばサブフレーム内のＥ−ＰＤＣＣＨの時間領域位置がサブフレーム番号によって決まるようなやり方で、時間を可変にすることもできる。例として、奇数番号のサブフレームの第１のスロットと、偶数番号のサブフレームの第２のスロットで、Ｅ−ＰＤＣＣＨを交互に送信することができる。サブフレームは、上述のように２つを超える部分に細分することもでき、Ｅ−ＰＤＣＣＨの時間領域における位置は、これらの部分の全ての間で交互に変えることができる。
【００３８】
シナリオによっては、セルレベルにおいて、各ＵＥをそのＣ−ＲＮＴＩによって一意に識別することができることも利用してもよい。例えば、あるＵＥ用のＥ−ＰＤＣＣＨを伝送するサブフレームの番号を、さらにＣ−ＲＮＴＩに結び付けることができる。このため、サブフレーム番号とＣ−ＲＮＴＩとによって決まる条件が満足される場合、ＵＥは、第１のスロットを監視してもよい。満足されない場合、第２のスロットを監視するものとする。この条件は、例えば（サブフレーム番号＋Ｃ−ＲＮＴＩ）ｍｏｄ２＝０と定義することができる。この演算は、サブフレーム内のＥ−ＰＤＣＣＨ負荷の均衡を保つために使用されてもよい。これは、Ｅ−ＰＤＣＣＨを始めに伝送するサブフレームにおける電力効率のよいＵＥの動作と、一部のＵＥに対してＥ−ＰＤＣＣＨを最後に送信するのでシステムレベルにおいて効率的なリソースの利用との、トレードオフを達成するために使用されてもよい。これにより、システムレベルにおいて、リソースを未使用のまま残すことを避けることができる。
【００３９】
Ｅ−ＰＤＣＣＨの継続期間および時間領域位置の設定は、明示的に行われてもよい。例えば、現在のサブフレームに対する有効な設定を動的に示すために、下位層Ｌ１／Ｌ２制御シグナリングを使用することができる。このため、既存のシグナリングは、修正または再解釈されてもよい。例として、物理制御フォーマット通知チャネル（ＰＣＦＩＣＨ）を対応するサブフレームにおけるＥ−ＰＤＣＣＨの継続期間を示すために使用することができる。ここでは、値が小さいほどＥ−ＰＤＣＣＨの継続期間がより短いことを示すことができ、マイクロスリープの期間をより長くすることができる。上位層においては、半静的に構成を設定するために、媒体アクセス制御（ＭＡＣ）、無線リンク制御（ＲＬＣ）、または無線リソース制御（ＲＲＣ）のシグナリングを使用することができる。例として、Ｅ−ＰＤＣＣＨを伝送するあるサブフレームのサブセットを示すために、ビットマップを使用することができる。さらに別の実行手段は、静的構成を使用することであろう。
【００４０】
また、Ｅ−ＰＤＣＣＨの継続期間および時間領域位置は、暗示的に設定されてもよい。この場合、設定は、他のタイプのパラメータと関係していてもよい。例えば、設定は、上述のように、サブフレーム番号および／またはＣ−ＲＮＴＩに静的に関係させることがきる。また、明示的シグナリングと暗示的シグナリングの組み合わせも可能である。例えば、ｅＮＢは、ｘ番目毎のサブフレームでＥ−ＰＤＣＣＨを受信するように、ＵＥを設定することができる。ここで、周期ｘは設定可能であり、サブフレーム内のＥ−ＰＤＣＣＨの位置は、サブフレーム番号およびＣ−ＲＮＴＩの関数である。
【００４１】
融通性を高めるために、設定はＵＥ固有であってもよい。しかし、複雑さを軽減するために、セル固有設定も使用されてもよい。
【００４２】
シナリオによっては、ＤＬ割当てとＵＬグラントとを個別に設定してもよい。ＤＬ割当ておよびそれに対応するＤＬデータのリアルタイムの復号に対するより厳しいタイミング要件のために、ＤＬ割当てを運ぶＥ−ＰＤＣＣＨを、ＵＬグラントを運ぶＥ−ＰＤＣＣＨとは異なって設定することができる。例として、ＤＬ割当てを第１のスロットだけでブラインドに復号し、ＵＬグラントを両方のスロットにおいてブラインドに復号するようにＵＥを設定したら、有益であろう。
【００４３】
キャリアアグリゲーションを使用して、２つ以上のキャリアを同時に使用することができる。Ｐセルとも呼ばれる一次コンポーネントキャリアが常に存在しているのに対して、Ｓセルとも呼ばれる１つ以上の２次コンポーネントキャリアは、要求に応じて起動して使用することができる。Ｅ−ＰＤＣＣＨは、ＰセルとＳセルの両方で使用することができる。Ｅ−ＰＤＣＣＨの設定は、対応するＥ−ＰＤＣＣＨと同じコンポーネントキャリアで送信されてもよいし、異なるコンポーネントキャリアで送信されてもよい。シナリオによっては、Ｐセルは、Ｐセルおよび任意の他のＳセルに対してＥ−ＰＤＣＣＨを設定するために、使用されてもよい。
【００４４】
別の実施形態においては、制御ノードが提供される。制御ノードは、制御ノードを動作させる上記の方法を行うように構成されている。図６に制御ノードの一例を示す。図示のように、制御ノード１０は、送信機１２を有し、必要に応じて受信機１４も有する。さらに、制御ノード１０は、コンピュータで読み取り可能な命令を格納する、少なくとも１つのコンピュータで読み取り可能な永続的メモリに接続された、少なくとも１つのプロセッサを有してもよい。少なくとも１つのプロセッサで実行されると、コンピュータで読み取り可能な命令は、その少なくとも１つのプロセッサに、本明細書に記載の制御ノードを動作させる方法を実行させることができる。プロセッサは、制御ノードのコントローラ１５の動作を実行してもよい。
【００４５】
別の実施形態においては、受信ノードが提供される。受信ノードは、受信ノードを動作させる上記の方法を行うように構成されている。図７に受信ノードの一例を示す。図示のように、受信ノード２０は、受信機２２を有し、必要に応じて送信機２４も有する。さらに、受信ノード２０は、コンピュータで読み取り可能な命令を格納する、少なくとも１つのコンピュータで読み取り可能な永続的メモリに接続された、少なくとも１つのプロセッサを有してもよい。少なくとも１つのプロセッサで実行されると、コンピュータで読み取り可能な命令は、その少なくとも１つのプロセッサに、本明細書に記載の受信ノードを動作させる方法を実行させることができる。プロセッサは、受信ノードのコントローラ２５の動作を実行してもよい。
【００４６】
図８は、ＢＳ１００において上述のコンセプトを実施するための構成例を概略的に示す。上述のコンセプトにおいては、ＢＳ１００は、制御ノードとしての機能を果たしてもよい。
【００４７】
図の構成においては、ＢＳ１００は、端末デバイス２００とのデータ伝送用の無線インタフェース１３０を有する。無線インタフェース１３０は、送信機（ＴＸ）機能を実施するために、１つ以上の送信機１３４を有してもよく、また受信機（ＲＸ）機能を実施するために、１つ以上の受信機１３２を有していてもよいことが理解されるはずである。具体的には、無線インタフェース１３０は、上述の制御チャネルを送信するように構成されていてもよい。無線インタフェース１３０は、上述のＬＴＥシナリオにおいては、ＬＴＥ−Ｕｕインタフェースに相当してもよい。さらに、ＢＳ１００は、移動ネットワークの他のノードとの通信用に制御インタフェース１４０を有していてもよい。
【００４８】
さらに、ＢＳ１００は、インタフェース１３０、１４０に接続されたプロセッサ１５０と、プロセッサ１５０に接続されたメモリ１６０とを有する。メモリ１６０は、例えばフラッシュＲＯＭなどのリードオンリメモリ（ＲＯＭ）、例えばダイナミックＲＡＭ（ＤＲＡＭ）またはスタティックＲＡＭ（ＳＲＡＭ）などのランダムアクセスメモリ（ＲＡＭ）、例えばハードディスクまたはソリッドステートディスクなどのマスストレージ等を有していてもよい。メモリ１６０は、ＢＳ１００の上述の機能を実施するために、プロセッサ１５０によって実行される適切に構成されたプログラムコードを有する。より具体的には、メモリ１６０は、特にサーチエリアのタイムスパンに関して、Ｅ−ＰＤＣＣＨの上述の設定を成し遂げる制御チャネル設定モジュール１７０を有していてもよい。さらに、メモリ１６０は、上述のやり方で制御チャネルの送信を制御する制御モジュール１８０を有していてもよい。
【００４９】
図８に示す構成が単なる概略であり、明瞭にするために示されていない、例えば別のインタフェースまたは追加のプロセッサなどのさらなるコンポーネントを、ＢＳ１００が実際には有してもよいことが理解されるはずである。同様に、メモリ１６０が図示されていない別のタイプのプログラム・コード・モジュールを有してもよいことも、理解されるはずである。例えば、メモリ１６０は、例えばｅＮＢまたはＤｅＮＢの既知の機能などの、ＢＳの典型的な機能を実施するプログラム・コード・モジュールを有していてもよい。幾つかの実施形態によれば、本発明の実施形態によるコンセプトを実施するために、例えばメモリ１６０に格納されることになるプログラムコードおよび／または他のデータを格納するコンピュータで読み取り可能な記憶媒体などの、コンピュータプログラムプロダクトも提供されてもよい。
【００５０】
図９は、ＵＥ３００において上述のコンセプトを実施するための構成例を概略的に示す。上述のコンセプトにおいては、ＵＥ３００は、受信ノードとしての機能を果たしてもよい。
【００５１】
図の構成においては、ＵＥ３００は、例えばＢＳ１００を介して、移動ネットワークとデータ伝送を行うための無線インタフェース３３０を有する。具体的には、無線インタフェース３３０は、Ｅ−ＰＤＣＣＨを受信するように構成されていてもよい。さらに、無線インタフェース３３０は、ＤＬデータを受信し、ＵＬデータを送信するように構成されていてもよい。無線インタフェース３３０は、送信機（ＴＸ）機能を実施するために、１つ以上の送信機３３４を有し、また受信機（ＲＸ）機能を実施するために、１つ以上の受信機３３２を有していてもよいことが理解されるはずである。無線インタフェース３３０は、上述のＬＴＥシナリオにおいては、ＬＴＥ−Ｕｕインタフェースに相当してもよい。
【００５２】
さらに、ＵＥ３００は、無線インタフェース３３０に接続されたプロセッサ３５０と、プロセッサ３５０に接続されたメモリ３６０とを有する。メモリ３６０は、例えばフラッシュＲＯＭなどのＲＯＭ、例えばＤＲＡＭまたはＳＲＡＭなどのＲＡＭ、例えばハードディスクまたはソリッドステートディスクなどのマスストレージ等を有していてもよい。メモリ３６０は、ＵＥ３００の上述の機能を実施するために、プロセッサ３５０によって実行される適切に構成されたプログラムコードを有する。より具体的には、メモリ３６０は、サーチエリアにおいてＥ−ＰＤＣＣＨの上述のサーチを行うサーチモジュール３７０を有していてもよい。さらに、メモリ３６０は、Ｅ−ＰＤＣＣＨで受信した制御情報に従って、ＵＬ伝送を送信またはＤＬ伝送を受信するようにＵＥ３００を制御するなどの、種々の制御動作を行う制御モジュール３８０を有していてもよい。
【００５３】
図９に示す構成が単なる概略であり、明瞭にするために示されていない、例えば別のインタフェースまたは追加のプロセッサなどのさらなるコンポーネントを、ＵＥ３００が実際には有してもよいことが理解されるはずである。同様に、メモリ３６０は、図示されていない別のタイプのプログラム・コード・モジュールも有してもよいことも理解されるはずである。例えば、メモリ３６０は、ＵＥの典型的な機能を実施するプログラム・コード・モジュール、またはプロセッサ３５０で実行される１つ以上のアプリケーションのプログラムコードを有してもよい。幾つかの実施形態によれば、本発明の実施形態によるコンセプトを実施するために、例えばメモリ３６０に格納されることになるプログラムコードおよび／または他のデータを格納するコンピュータで読み取り可能な記憶媒体などの、コンピュータプログラムプロダクトも提供されてもよい。
【００５４】
図１０は、ＲＮ２００において上述のコンセプトを実施するための構成例を概略的に示す。上述のコンセプトにおいては、ＲＮ２００は、ＲＮ２００と例えばＵＥ３００などのＵＥとの通信を考慮するとき、制御ノードとしての機能を果たしてもよい。代替または追加で、ＲＮ２００は、ＲＮと例えばＢＳ１００などのそのドナーＢＳとの通信を考慮するとき、受信ノードとしての機能を果たしてもよい。
【００５５】
図の構成においては、ＲＮ２００は、無線インタフェース２３０を有し、この無線インタフェース２３０は、例えばＢＳ１００などのドナーＢＳと通信し、かつＲＮ２００がサービスを提供する例えばＵＥ３００などの１つ以上のＵＥと通信する。
【００５６】
さらに、ＲＮ２００は、制御インタフェース３４０に接続されたプロセッサ２５０と、プロセッサ２５０に接続されたメモリ２６０とを有する。メモリ２６０は、例えばフラッシュＲＯＭなどのＲＯＭ、例えばＤＲＡＭまたはＳＲＡＭなどのＲＡＭ、例えばハードディスクまたはソリッドステートディスクなどのマスストレージ等を有していてもよい。メモリ２６０は、ＲＮ２００の上述の機能を実施するために、プロセッサ２５０によって実行される適切に構成されたプログラムコードを有する。より具体的には、メモリ２６０は、特にサーチエリアのタイムスパンに関して、Ｅ−ＰＤＣＣＨの上述の設定を成し遂げる制御チャネル設定モジュール２７０を有していてもよい。さらに、メモリ２６０は、サーチエリアにおいてＥ−ＰＤＣＣＨの上述のサーチを行うサーチモジュール２７０を有していてもよい。またさらに、メモリ２６０は、上述のように制御チャネルの送信を制御する、および／またはＥ−ＰＤＣＣＨで受信した制御情報に従って、ＵＬ伝送を送信またはＤＬ伝送を受信するようにＲＮ３００を制御するなどの、種々の制御動作を行う制御モジュール２９０を有していてもよい。
【００５７】
図１０に示す構成が単なる概略であり、明瞭にするために示されていない、例えば別のインタフェースまたは追加のプロセッサなどのさらなるコンポーネントを、ＲＮ２００が実際には有してもよいことが理解されるはずである。例えば、ＲＮ２００は、一方はドナーＢＳとの通信用、他方はＲＮ２００がサービスを提供するＵＥとの通信用の２つの無線インタフェースを有してもよい。同様に、メモリ２６０が図示されていない別のタイプのプログラム・コード・モジュールを有してもよいことも、理解されるはずである。例えば、メモリ２６０は、例えば３ＧＰＰのＬＴＥ仕様書に記載されている、ＲＮの典型的な機能を実施するプログラム・コード・モジュールを有してもよい。幾つかの実施形態によれば、本発明の実施形態によるコンセプトを実施するために、例えばメモリ２６０に格納されることになるプログラムコードおよび／または他のデータを格納するコンピュータで読み取り可能な記憶媒体などの、コンピュータプログラムプロダクトも提供されてもよい。
【００５８】
以上のように、これまで説明したコンセプトは、Ｅ−ＰＤＣＣＨの設定可能な継続期間および設定可能な時間領域位置を使用することを可能にする。これは、順に、例えばマイクロスリープによる節電などの電力効率と、例えばリアルタイムのＰＤＳＣＨの復号化などのＵＥ要件と、Ｅ−ＰＤＣＣＨの伝送制限によるスケジューリングの遅延などの性能との間の良好なトレードオフを可能にする。Ｅ−ＰＤＣＣＨを使用して、ＤＬ割当てとＵＬグラントを、同じサーチエリアで送信してもよい。同じサーチエリアでＤＬ割当てとＵＬグラントを送信することによって、必要なブラインド復号の試行回数を減少させることができる。特に、同じサーチエリアで送信すると、ＤＣＩフォーマット１ＡすなわちＤＬ割当てと、ＤＣＩフォーマット０すなわちＵＬグラントとは、ビット数に関して測定したサイズが両方のＤＣＩフォーマットとも同じなので、１回の試行でブラインドに復号することができる。
【００５９】
これまで説明した例および実施形態は単に例証であり、種々の変更を受け入れる余地があることが理解されるはずである。例えば、コンセプトは、上述の例のＬＴＥ移動ネットワークとは異なるタイプの移動ネットワークでも使用することができる。さらに、上記のコンセプトは、既存の移動ネットワークノードまたはＵＥに対応するように設計されたソフトウェアを使用して、あるいはその移動ネットワークノードまたはＵＥに専用のハードウェアを使用して、実施されてもよいことが理解されるはずである。
【図１】
2014517581.tif 000003
【図２】
2014517581.tif 000004
【図３】
2014517581.tif 000005
【図４】
2014517581.tif 000006
【図５】
2014517581.tif 000007
【図６】
2014517581.tif 000008
【図７】
2014517581.tif 000009
【図８】
2014517581.tif 000010
【図９】
2014517581.tif 000011
【図１０】
2014517581.tif 000012
【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
いくつかのサブフレームを有するフレームによってフレーム化された通信を少なくとも１つのユーザ装置と実行する制御ノードを動作させる方法であって、
前記いくつかのサブフレームのうちのサブセットだけのサーチエリアにおいて制御チャネルを送信するステップを有し、
前記サーチエリアは設定変更可能なタイムスパンを有しており、前記制御チャネルを送信する前記いくつかのサブフレームのうちの前記サブセットはビットマップによって示されることを特徴とする方法。
【請求項２】
前記サーチエリアの位置は前記ユーザ装置のインデックスに依存していることを特徴とする請求項１に記載の方法。
【請求項３】
前記サーチエリアの位置は前記いくつかのサブフレームのうちの前記サーチエリアを有している１つのサブフレームと前記サーチエリアを有している後続のサブフレームとの間でオルタネートすることを特徴とする請求項１または２に記載の方法。
【請求項４】
前記サブフレームは時間領域において第１スロットと第２スロットとに分割されており、
前記サーチエリアの位置は前記第１スロットと前記第２スロットとの間でオルタネートすることを特徴とする請求項３に記載の方法。
【請求項５】
前記制御チャネルはアップリンググラントとダウンリンク割り当てとを含んでいることを特徴とする請求項１ないし４のいずれか１項に記載の方法。
【請求項６】
前記タイムスパンは前記サブフレームの期間よりも短いことを特徴とする請求項１ないし５のいずれか１項に記載の方法。
【請求項７】
前記制御ノードは基地局であることを特徴とする請求項１ないし６のいずれか１項に記載の方法。
【請求項８】
前記制御ノードは中継ノードであることを特徴とする請求項１ないし６のいずれか１項に記載の方法。
【請求項９】
いくつかのサブフレームを有するフレームによってフレーム化された通信を少なくとも１つの制御ノードと実行するユーザ装置を動作させる方法であって、
前記いくつかのサブフレームのうちのサブセットだけのサーチエリアにおいて制御チャネルをサーチするステップを有し、
前記サーチエリアは設定変更可能なタイムスパンを有しており、前記制御チャネルを送信する前記いくつかのサブフレームのうちの前記サブセットはビットマップによって示されることを特徴とする方法。
【請求項１０】
前記サーチエリアの位置は前記ユーザ装置のインデックスに依存していることを特徴とする請求項９に記載の方法。
【請求項１１】
前記サーチエリアの位置は前記いくつかのサブフレームのうちの前記サーチエリアを有している１つのサブフレームと前記サーチエリアを有している後続のサブフレームとの間でオルタネートすることを特徴とする請求項９または１０に記載の方法。
【請求項１２】
前記サブフレームは時間領域において第１スロットと第２スロットとに分割されており、
前記サーチエリアの位置は前記第１スロットと前記第２スロットとの間でオルタネートすることを特徴とする請求項１１に記載の方法。
【請求項１３】
前記制御チャネルはアップリンググラントとダウンリンク割り当てとを含んでいることを特徴とする請求項９ないし１２のいずれか１項に記載の方法。
【請求項１４】
前記タイムスパンは前記サブフレームの期間よりも短いことを特徴とする請求項９ないし１３のいずれか１項に記載の方法。
【請求項１５】
前記制御ノードは基地局であることを特徴とする請求項９ないし１４のいずれか１項に記載の方法。
【請求項１６】
前記制御ノードは中継ノードであることを特徴とする請求項９ないし１４のいずれか１項に記載の方法。
【請求項１７】
制御ノードであって、請求項１ないし８のいずれか１項に記載の方法を実行するように構成されたことを特徴とする制御ノード。
【請求項１８】
ユーザ装置であって、請求項９ないし１６のいずれか１項に記載の方法を実行するように構成されたことを特徴とするユーザ装置。
【請求項１９】
制御ノードであって、
いくつかのサブフレームを有するフレームによってフレーム化された通信を少なくとも１つのユーザ装置と実行する送信機と、
前記いくつかのサブフレームのうちのサブセットだけのサーチエリアにおいて制御チャネルを送信するよう前記送信機を制御する制御部と
を有し、
前記サーチエリアは設定変更可能なタイムスパンを有しており、前記制御チャネルを送信する前記いくつかのサブフレームのうちの前記サブセットはビットマップによって示されることを特徴とする制御ノード。
【請求項２０】
ユーザ装置であって、
いくつかのサブフレームを有するフレームによってフレーム化された通信を少なくとも１つの制御ノードと実行する受信機と、
前記いくつかのサブフレームのうちのサブセットだけのサーチエリアにおいて制御チャネルをサーチするよう前記受信機を制御する制御部と
を有し、
前記サーチエリアは設定変更可能なタイムスパンを有しており、前記制御チャネルを送信する前記いくつかのサブフレームのうちの前記サブセットはビットマップによって示されることを特徴とするユーザ装置。
【国際調査報告】
2014517581.tif 000013
2014517581.tif 000014
2014517581.tif 000015